Podtech/llm-jp-corpus-v4-ja_patent huggingface dataset:
【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
留め具を締着および弛緩する装置であって、
前記留め具の回転を行うデバイスであって、操作者の一方の手により操作可能なトリガを有するというデバイスと、
操作者の他方の手により操作可能な安全デバイスであって、使用に際し、回転を行う前記デバイスは操作可能であるが、操作者の一方の手のみが使用され且つ前記トリガが操作されたときには、前記装置が留め具を締着もしくは弛緩すべく機能しない様に構成される、という安全デバイスとを含む、装置。
【請求項２】
前記装置のハウジングに対して接続可能であり且つ該ハウジングから接続解除可能である反動アームであって、前記留め具の締着もしくは弛緩の間に前記装置が転回することを阻止するために前記装置が機能する間は近傍の静止的物体に対して当接すべく構成されるという反動アームを含み、
前記安全デバイスは、該安全デバイスが使用中であるときには前記反動アームが前記ハウジングに対して回転不能に接続され且つ該反動アームが反作用力を前記近傍の静止的物体へと方向転換し得るが、操作者の一方の手のみが使用され且つ前記トリガが操作されたときには前記反動アームが前記ハウジングから接続解除され、故に、接続解除されたときに該反動アームは反作用力を前記近傍の静止的物体へと方向転換し得ないように構成される、請求項１に記載の装置。
【請求項３】
手動操作子が操作者により操作されたときには前記反動アームが前記ハウジングに対して回転不能に接続されるが、操作者の一方の手のみが使用され且つ前記トリガが操作されたときには前記反動アームが前記ハウジングから自動的に接続解除される如く、前記安全デバイスは手動操作子を含む、請求項２に記載の装置。
【請求項４】
前記安全デバイスは、実質的に前記反動アームと前記ハウジングとの間に配置された係合要素であって、該係合要素が前記反動アームを前記ハウジングに対して回転不能に接続する第1位置と、該係合要素が前記反動アームを前記ハウジングから接続解除する第2位置との間で変位可能であるという係合要素を含む、請求項３に記載の装置。
【請求項５】
前記安全デバイスは、前記手動操作子が操作者により操作されたときに前記要素は前記第2位置から前記第1位置へと移動されるが、操作者が前記手動操作子を解放したときに当該スプリング手段は自動的に前記要素を前記第1位置から前記第2位置へと戻し変位させる如く配置されたスプリング手段を含む、請求項４に記載の装置。
【請求項６】
前記係合要素は実質的にリング状であり、且つ、
該係合要素は、
前記ハウジングもしくは前記反動アームの一方の係合用形態部に対して永続的に係合可能であるという係合用形態部、ならびに、
前記第1位置および前記第2位置において、夫々、前記ハウジングおよび前記反動アームの他方の係合用形態部に対して係合可能であり且つ該係合用形態部から係合解除可能であるという係合用形態部を有する、請求項５に記載の装置。
【請求項７】
前記安全デバイスは、該安全デバイスが操作者の他方の手により操作されたときには、留め具の回転を行う前記デバイスには動力が供給されるが、操作者の一方の手のみが使用され且つ前記トリガが操作されたときには、留め具の回転を行う前記デバイスに動力は供給されず且つ前記装置が留め具を締着もしくは弛緩すべく機能しないように構成される、先行請求項のいずれか一つの請求項に記載の装置。
【請求項８】
前記装置は、留め具の回転を行う前記デバイスに対して作動流体を供給してそれを作動させることで前記装置を機能させる手段を含み、
前記安全デバイスは、該安全デバイスが操作者の他方の手により操作されたときには、作動流体を供給する前記手段は、留め具の回転を行う前記デバイスに対して作動流体を提供するが、操作者の一方の手のみが使用され且つ前記トリガが操作されたときには、作動流体を供給する前記手段は、留め具の回転を行う前記デバイスに対して作動流体を供給せず且つ前記装置が留め具を締着もしくは弛緩すべく機能しないように構成される、請求項７に記載の装置。
【請求項９】
作動流体を供給する前記手段は、
当該通路を通り、留め具の回転を行う前記デバイスに対して作動流体が供給可能である、という通路と、
操作者の他方の手が前記安全デバイスを操作したとき、または、操作者の一方の手のみが使用され且つ前記トリガが操作されたときには、夫々、前記通路を開成または閉成する手段と、
を含む、請求項８に記載の装置。
【請求項１０】
留め具の回転を行う前記デバイスを収容するハウジングと、操作者の一方の手により前記装置を所定位置に保持する握り柄とを含む、請求項１に記載の装置。
【手続補正書】
【提出日】平成24年9月22日(2012.9.22)
【手続補正１】
【補正対象書類名】明細書
【補正対象項目名】０００８
【補正方法】変更
【補正の内容】
【０００８】
更に、炭化位相またはこれらのプロセスのステップは、多量の酸性反応生成物を生成する傾向があり、この酸性反応生成物は回転窯に極めて腐食性を生じる傾向があり、そして、回転管状窯材料の腐食抵抗に極めて高い要求を課す。多くの場合、前記回転窯は、活性化の高温過程から切り離されて炭化の腐食性の処理過程に適応するため、異なる別々の区画またはステージから成っており、これにより、前記炭化ステップの腐食性に抵抗する高価な金属から単一の回転窯を作成しなければならないのを防ぐものである。
また、従来のプロセスは、多種多様なサイズの炭素質物質原料を使用する。例えば、従来のプロセスの原料は、１〜２，０００ミクロンのサイズでいろいろである。活性化の間、この供給原料のかなりの割合が消費される。従来のプロセスに関連する別の一般的な問題は、活性化時間が非常に大きいので前記プロセスが通常最小のプロセス変更に応答しないことである。例えば、炭素質原料を従来のプロセスで活性化するのに５時間かかり、前記活性化炭化質物質の特性を変えたい場合、滞留時間の小さい変更はそのような特徴の変化をもたらさない。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正２】
【補正対象書類名】明細書
【補正対象項目名】０００９
【補正方法】変更
【補正の内容】
【０００９】
【特許文献１】  米国特許第４１５７３１４号明細書
【特許文献２】  米国特許第１８６７７５０号明細書
【特許文献３】  米国特許第４０１４８１７号明細書
【特許文献４】  米国特許出願公開第２００３／１８１３１５号明細書
【特許文献５】  独国特許発明第３７４３２４８号明細書
【特許文献６】  米国特許出願公開第２００１／００２３８７号明細書
【特許文献７】  国際公開第２００９／０８９３５６号
【発明の概要】
【課題を解決するための手段】
【手続補正書】
【提出日】平成24年9月28日(2012.9.28)
【手続補正１】
【補正対象書類名】特許請求の範囲
【補正対象項目名】全文
【補正方法】変更
【補正の内容】
【特許請求の範囲】
【請求項１】
組織を処置するための、内視鏡と共に使用する医療装置であって、
前記内視鏡を受け入れるサイズとされた通路を有する端部キャップと、
前記端部キャップに取り付けられ、該端部キャップから遠位方向に突き出ている複数の針であって、複数の針ルーメンを画定し、組織を穿刺するための遠位端を有している複数の針と、
前記端部キャップ上に滑動可能に配置されているスタイレットキャップと、
前記スタイレットキャップに取り付けられていて、前記複数の針ルーメンの中へ遠位方向に向かって突き出ている複数のスタイレットと、
前記針ルーメン内に配置されている複数の組織デバイスと、を備え、
前記スタイレットキャップを前記端部キャップに対して並進させると、前記複数のスタイレットが前記複数の組織デバイスに係合して該複数の組織デバイスを前記複数の針から押し出すようになっている、医療装置。
【請求項２】
前記複数の針は、前記端部キャップの周囲に周方向に離間して配置されている、請求項１に記載の医療装置。
【請求項３】
前記複数の針は、前記端部キャップの前記通路の半径方向外側に配置されている、請求項１に記載の医療装置。
【請求項４】
前記複数の針は、少なくとも４本の針からなる、請求項１に記載の医療装置。
【請求項５】
前記端部キャップは、前記複数のスタイレットを滑動可能に受け入れる複数の端部キャップ通路を画定している、請求項１に記載の医療装置。
【請求項６】
前記複数の針に滑動可能に取り付けられている保護先端であって、前記複数の針の前記遠位端を保護する伸展位置と、前記遠位端を露出する引込位置の間で操作できる保護先端を更に備えている、請求項１に記載の医療装置。
【請求項７】
前記組織デバイスの少なくとも１つに滑動可能に取り付けられている縫合糸であって、前記保護先端の外側を囲むように前記組織デバイスのそれぞれの間を延びる縫合糸を更に備えている、請求項６に記載の医療装置。
【請求項８】
前記保護先端に取り付けられている細長い先端制御部材と、前記端部キャップに取り付けられている細長い端部キャップ制御部材とを更に備え、前記端部キャップ制御部材は前記先端制御部材を滑動可能に受け入れるルーメンを画定しており、前記端部キャップ制御部材と前記先端制御部材を相対並進させると、前記保護先端が、その伸展位置と引込位置の間で操作されて、前記複数の針の前記遠位端を保護したり、露出したりする、請求項６に記載の医療装置。
【請求項９】
前記スタイレットキャップに取り付けられている細長いスタイレット制御部材を更に備え、前記スタイレット制御部材は、前記端部キャップ制御部材を滑動可能に受け入れるサイズのルーメンを画定しており、前記スタイレット制御部材と前記端部キャップ制御部材を相対並進させると、前記複数のスタイレットが操作されて前記複数の組織デバイスに係合し、該複数の組織デバイスを前記複数の針から押し出す、請求項８に記載の医療装置。
【請求項１０】
前記複数の針は、それぞれ、前記保護先端よりも長い長さを有している、請求項１に記載の医療装置。
【請求項１１】
前記保護先端は、前記複数の針を滑動可能に受け入れる複数の先端通路を画定している、請求項６に記載の医療装置。
【請求項１２】
前記複数の先端通路の遠位部分は側方開口部を有し、前記針は、それぞれ、側方開口スロットを画定しており、前記複数の先端通路の前記側方開口部は、前記複数の針の前記側方開口スロットと周方向に整列している、請求項１１に記載の医療装置。
【請求項１３】
前記スタイレットキャップに取り付けられている細長いスタイレット制御部材と、前記端部キャップに取り付けられている細長い端部キャップ制御部材とを更に備え、前記スタイレット制御部材は、前記端部キャップ制御部材を滑動可能に受け入れるサイズのルーメンを画定しており、前記スタイレット制御部材と前記端部キャップ制御部材を相対並進させると、前記複数のスタイレットが操作されて、前記複数の組織デバイスに係合して該複数の組織デバイスを前記複数の針から押し出す、請求項１に記載の医療装置。
【請求項１４】
前記医療装置が前記内視鏡上に装着されたとき、前記複数の針の前記遠位端は、前記内視鏡の遠位端及び前記端部キャップの遠位端を遠位方向に越えて配置されている、請求項１に記載の医療システム。
【請求項１５】
前記端部キャップは、半径方向外向きに延びるフランジであって、前記スタイレットキャップと前記端部キャップの相対並進を制限するように前記スタイレットキャップに当接する形状とされたフランジを画定している、請求項１に記載の医療システム。
【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
通路を洗浄する方法であって、
前記通路に沿って長さ方向に気体の流動を生成するステップと、
前記通路に沿って長さ方向に液体の流動を生成するステップであって、前記液体は、界面活性剤を有する、ステップと、
を有し、
前記液体の前記流動は、約１〜約５ミリリットル／分／前記通路の周囲長のミリメートルという周囲長によって正規化された液体流量を具備し、
前記液体は、約５０度を上回る、前記通路の内部表面上における前進接触角を具備し、且つ、０度を上回る後退接触角を具備し、
前記気体流動は、前記通路に沿った少なくともどこかにおいて、約２ｍ／ｓ〜約８０ｍ／ｓの速度を具備し、且つ、
前記界面活性剤は、０．１％の界面活性剤濃度において計測された５０ｍｍを下回るＲｏｓｓ  Ｍｉｌｅｓ泡高さを具備する、方法。
【請求項２】
前記液体は、約３３ｄｙｎｅｓ／ｃｍ〜約５０ｄｙｎｅｓ／ｃｍの表面張力を具備する請求項１記載の方法。
【請求項３】
通路を洗浄する方法であって、気体と液体を前記通路に同時に供給するステップを有し、前記液体及び前記気体は、前記通路の内部表面の少なくともいずれかの部分上に細流液滴流動を実現するように、前記通路内において流動する、方法。
【請求項４】
前記細流は、サブ細流への断片化を経験する請求項３記載の方法。
【請求項５】
前記液体は、約５０度を上回る、前記通路の内部表面上における前進接触角を具備し、且つ、０度を上回る後退接触角を具備する請求項３記載の方法。
【請求項６】
前記液体は、非霧化方式において前記通路に導入される請求項３記載の方法。
【請求項７】
通路を洗浄する方法であって、気体及び液体を前記通路に同時に供給するステップを有し、前記気体及び前記液体は、前記通路の少なくともいずれかの内部表面上に運動する３相接触界面を実現する、方法。
【請求項８】
通路を洗浄する方法であって、
前記通路の少なくとも入口において液体のプラグを形成するように、前記通路内に液体を供給するステップと、
前記液体の前記プラグを前記通路を通じて押し進めるように、前記通路内に気体を供給するステップと、
を有し、
前記気体流動は、前記通路内への前記液体の更なるものの導入の前に、前記通路の内部表面を実質的に乾燥又は脱湿させるべく十分な時間にわたって継続する、方法。
【請求項９】
前記液体を前記通路内に供給する前記ステップは、合計プラグ長が前記通路の長さの約１０％未満になるように、前記通路の長手方向に沿った前記合計プラグ長を具備する１つのプラグ又は一連のプラグを生成するべく、実行される、請求項８記載の方法。
【請求項１０】
前記気体流動は、時間との関係において安定している請求項８記載の方法。
【請求項１１】
前記気体流動は、時間との関係において不安定である請求項８記載の方法。
【請求項１２】
前記気体流動は、少なくとも約５秒にわたって継続する請求項８記載の方法。
【請求項１３】
前記気体流動は、少なくとも約１５秒にわたって継続する請求項８記載の方法。
【請求項１４】
通路を洗浄する装置であって、
気体を前記通路に供給する気体供給源と、
液体を前記通路に供給する液体供給源と、
を有し、
前記気体供給源は、前記通路に沿った少なくともどこかにおいて約２ｍ／ｓ〜約８０ｍ／ｓの流速で前記気体を供給し、
前記液体供給源は、約１〜約５ミリリットル／分／前記通路の周囲長のミリメートルという周囲長によって正規化された液体流量において前記液体を供給し、
前記液体は、約５０度を上回る、前記通路の内部表面上における前進接触角を具備し、且つ、０度を上回る後退接触角を具備し、
前記界面活性剤は、０．１％の界面活性剤濃度において計測された５０ｍｍを下回るＲｏｓｓ  Ｍｉｌｅｓ泡高さを具備する、装置。
【請求項１５】
前記装置は、前記通路の前記内部表面が前記液体によって覆われていない際に前記通路の少なくともいくつかの内部表面のドライアウトを生成する請求項１４記載の装置。
【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
生成器回路（１２）により生成されるＨＦ電流を利用して生物組織（６０）を処理、特に切断または凝固するための電気外科的ＨＦ生成器（１０）であって、活性出力（１４）および中性出力（１３）を含み、前記ＨＦ電流は、活性電極（３０）および前記組織に大きな面積で接触する少なくとも１つの中性電極（４０）の間の組織（６０）を通る第１電流経路を介して流れ、電気外科的ＨＦ生成器（１０）はまた、ＨＦ電流の少なくとも一部が第２電流経路を介して組織（６０）の標的を通るように、中性電極（４０）に並列に接続される、把持鉗子（５０）の少なくとも1つの把持表面（５１、５２）を含む少なくとも１つの補助中性電極（５０、５１，５２）を有する、前記電気外科的ＨＦ生成器（１０）。
【請求項２】
中性電極（４０）を通って流れるHF電流、および補助中性電極（５０，５１，５２）を通って流れるＨＦ電流の少なくとも比率を計測する、計測回路（Ｃ１）を含む、請求項１に記載の電気外科的ＨＦ生成器（１０）。
【請求項３】
中性電極（４０）を通って、および補助中性電極（５０，５１，５２）を通って流れるＨＦ電流を計測する計測回路（Ｃ１）を含む、請求項１または２に記載の電気外科的ＨＦ生成器（１０）。
【請求項４】
双極把持鉗子（５０）が自動ロック式である、請求項１〜３のいずれか一項に記載の電気外科的ＨＦ生成器（１０）。
【請求項５】
締め付け鉗子が双極把持鉗子（５０）であって、極の役目を果たすその締め付け表面（５１，５２）が生成器回路（１２）に接続される、請求項１〜４のいずれか一項に記載の電気外科的ＨＦ生成器（１０）。
【請求項６】
双極把持鉗子（５０）の１つの締め付け表面（５２）を活性出力（１４）に接続、および双極把持鉗子の他の締め付け表面（５１）を中性出力（１３）に接続するための選択スイッチ（Ｓ１，Ｓ２，Ｓ３，Ｓ６）を含む、請求項１〜５のいずれか一項に記載の電気外科的ＨＦ生成器（１０）。
【請求項７】
生成器回路（１２）から他の電極（３０，４０）を分離するための選択スイッチ（Ｓ４，Ｓ５）を含む、請求項１〜６のいずれか一項に記載の電気外科的ＨＦ生成器（１０）。
【請求項８】
双極把持鉗子（５０）の締め付け表面（５１，５２）の間の抵抗を決定するための計測回路（Ｃ１）を含む、請求項１〜８のいずれか一項に記載の電気外科的ＨＦ生成器（１０）。
【請求項９】
生成器回路（１２）から補助中性電極（５０，５１，５２）を分離するためのスイッチ（Ｓ２，Ｓ３：Ｓ７，Ｓ８）を含む、請求項１〜８のいずれか１項に記載の電気外科的ＨＦ生成器（１０）。
【請求項１０】
中性電極（４０）および補助中性電極（５０，５１，５２）の間の電気抵抗を計測する計測回路（Ｃ１）を含む、請求項１〜９のいずれか一項に記載の電気外科的ＨＦ生成器（１０）。
【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
患者の組織部位を治療するための減圧送達システムであって：
前記患者の組織部位に対する治療を実施するように構成される電気機械部品と；
当該電気機械部品と接続され、かつ前記組織部位に対する前記治療を実施又は変更するように、前記電気機械部品を動作させるべく構成される演算処理装置と；
前記組織部位に治療を送達するように構成される少なくとも１の導管と；
前記組織部位からの１以上の滲出液の特徴を感知するように構成され、かつ、感知した前記１以上の滲出液の特徴を示すデータを伝達するように更に構成される微小電気機械システム（ＭＥＭＳ）デバイスと；
を具え、前記演算処理装置が、前記ＭＥＭＳデバイスから前記データを受信し、かつ前記患者の組織部位に対する前記治療を前記少なくとも１の導管を介して前記電気機械部品で実施するように構成されることを特徴とする減圧送達システム。
【請求項２】
請求項１に記載の減圧送達システムにおいて、前記電気機械部品が少なくとも１のバルブと少なくとも１のポンプとを具え、当該少なくとも１のポンプが前記組織部位に対し減圧を印加するように構成され、前記組織部位に対する前記減圧の印加又は変更が可能及び不可能になるように、前記少なくとも１のバルブが構成されることを特徴とする減圧送達システム。
【請求項３】
請求項２に記載の減圧送達システムにおいて、前記少なくとも１のポンプが前記組織部位に対し治療液の送達又は変更を行うように更に構成され、前記組織部位に対する前記治療液の塗布又は変更が可能及び不可能になるように、前記少なくとも１のバルブが構成されることを特徴とする減圧送達システム。
【請求項４】
請求項１に記載の減圧送達システムにおいて、前記ＭＥＭＳデバイスが前記演算処理装置と無線接続されることを特徴とする減圧送達システム。
【請求項５】
請求項１に記載の減圧送達システムにおいて、前記ＭＥＭＳデバイスが前記滲出液のｐＨレベルを感知するように構成されることを特徴とする減圧送達システム。
【請求項６】
請求項１に記載の減圧送達システムが、前記少なくとも１の導管と流体連結されるドレッシング剤を更に具え、前記ＭＥＭＳデバイスが前記組織部位の前記１以上の滲出液の特徴を感知したときに、前記ドレッシング剤内に配置されることを特徴とする減圧送達システム。
【請求項７】
請求項１に記載の減圧送達システムにおいて、前記治療が少なくとも１の治療液を含むことを特徴とする減圧送達システム。
【請求項８】
請求項１に記載の減圧送達システムが、前記演算処理装置と接続される電子ディスプレイを更に具え、前記演算処理装置が前記電子ディスプレイ上にグラフィカルユーザインタフェース（ＧＵＩ）を生成及び表示するように更に構成され、前記ＧＵＩが前記組織部位からの前記滲出液の特徴的なレベルを示す表示を含むことを特徴とする減圧送達システム。
【請求項９】
請求項８に記載の減圧送達システムにおいて、前記１以上の滲出液の特徴が化学的特徴を含むことを特徴とする減圧送達システム。
【請求項１０】
請求項８に記載の減圧送達システムにおいて、前記１以上の滲出液の特徴が生物学的マーカーを含むことを特徴とする減圧送達システム。
【請求項１１】
患者の組織から滲出液を引き抜き、前記組織を治療するための減圧療法システムであって、当該減圧療法システムが：
前記組織に対し真空及び治療液を送達するように前記組織と流体連結されるドレッシング剤と；
前記組織に対し前記真空及び前記治療液を送達するように前記ドレッシング剤と流体連結される一方の端部を有する、少なくとも１の導管と；
送達信号に応じて、第１の状態で前記組織に対し前記真空を提供し、第２の状態で前記組織に対し前記治療液を提供するように、前記少なくとも１の導管の他方の端部に連結される作動デバイスと；
前記組織を治療するための所定の療法に応じて、前記第１の状態の間に前記真空の印加又は変更を行い、前記第２の状態の間に送達信号の印加又は変更を行うように、前記作動デバイスと電気接続される演算処理装置と；
前記滲出液の特徴を感知し、前記滲出液の特徴に関連する特徴的なデータを生成するように前記組織と流体連結され、かつ、前記特徴的なデータを送信するように前記演算処理装置と電気接続されるＭＥＭＳデバイスと；
を具え、前記演算処理装置が、前記所定の療法による前記特徴的なデータの分析に応じて、前記作動デバイスに対する前記送達信号の印加又は変更を行うことを特徴とする減圧療法システム。
【手続補正書】
【提出日】平成24年8月22日(2012.8.22)
【手続補正１】
【補正対象書類名】特許請求の範囲
【補正対象項目名】全文
【補正方法】変更
【補正の内容】
【特許請求の範囲】
【請求項１】
患者の口を介して咽頭部マスク又は医療装置を導入するマウス・ガクにおいて、
（Ａ）プレート（３７）と、
（Ｂ）上部口内部品（１５）と、
（Ｃ）下部口内部品（１６）と、
（Ｄ）前記上部口内部品（１５）と前記下部口内部品（１６）との間の距離を調節する機構（１３，１４）と
（Ｅ）前記上部口内部品（１５）と前記下部口内部品（１６）とをロックしたりアンロックしたりするロック機構（２０，２１）と、
を有し、
前記プレート（３７）は、その中央部分に開口（１７）を有し、前記上部口内部品（１５）と一体に形成され、
前記下部口内部品（１６）は、その一方の端部で直角に折れ曲がり、上記プレート（３７）にスライド可能に搭載される
ことを特徴とする患者の口蓋を介して咽頭部マスク又は他の医療装置を導入するマウス・ガク。
【請求項２】
前記プレート（３７）は、その中に前記開口（１７）とリセス（１８）とが形成される本体（１１）を有し、、
前記本体（１１）の下部ベース（１２）は、ハンドグリップ（１３）になり、
前記ハンドグリップ（１３）上に第２プレート（１４）が配置され、
前記第２プレート（１４）は、それに植設されるピボット（３６）を有する
ことを特徴とする請求項１記載のマウス・ガグ。
【請求項３】
前記上部口内部品（１５）は、根本部分の第１部分（１５ａ）と先端部分の第２部分（１５ｂ）に分けられ、
前記第１部分（１５ａ）は、水平であり、
前記第２部分（１５ｂ）は、下方向を向いて湾曲している
ことを特徴とする請求項１記載のマウス・ガグ。
【請求項４】
前記下部口内部品（１６）は、根本部分の第１部分（１６ａ）と先端部分の第２部分（１６ｂ）と垂直部分の第３部分（１６ｃ）とに分けられ、
前記第１部分（１６ａ）は、水平であり、
前記第２部分（１６ｂ）は、下方向を向いて湾曲しており、
前記第３部分（１６ｃ）は、前記第２部分（１６ｂ）とは反対側にあり、前記第１部分（１６ａ）から直角下方向に折れ曲がり、前記ハンドグリップ（１３）と前記プレート（１４）との間に挟まれ、
前記前記第３部分（１６ｃ）は、それに植設される突起部（１９）を有する
ことを特徴とする請求項１記載のマウス・ガグ。
【請求項５】
前記ロック機構（２０，２１）は、ラック（２０）の形態のノッチの付いた形状をし、
前記ラック（２０）は、プレート（１４）上に配置されたトリガ（２１）と作用して、上部口内部品（１５）と下部口内部品（１６）の相対的位置を決める
ことを特徴とする請求項１記載のマウス・ガグ。
【請求項６】
前記ロック機構（２０，２１）は、前記トリガ（２１）が外側に移動した時に、動く
ことを特徴とする請求項１記載のマウス・ガグ。
【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
配列番号１４０、２−１３、１９−４２、５８−１３９、１４１−２１０および２１２の何れか１つに記載されている核酸配列からなるオリゴヌクレオチド。
【請求項２】
配列番号１４−１６および４３−５７の何れか１つに記載されている核酸配列からなるオリゴヌクレオチド。
【請求項３】
配列番号１７または１８に記載されている核酸配列からなるオリゴヌクレオチド。
【請求項４】
ライブラリー増幅、ライブラリー逆転写、および／またはライブラリースペクトラタイプ解析のための、請求項１〜３に記載される何れかの配列の使用。
【請求項５】
単鎖抗体（ｓｃＦｖ）発現のための核酸ライブラリーであって、前記ライブラリーはＨ鎖可変ドメインおよびＬ鎖可変ドメインをコードする配列のレパートリーを含み、前記ライブラリーの各構成員はＨ鎖可変ドメイン、Ｌ鎖可変ドメインおよびリンカー領域を含むオープンリーディングフレームを含み、ならびに前記ライブラリーは請求項１に記載の１つ以上のオリゴヌクレオチドを用いて作製される、ライブラリー。
【請求項６】
リンカー領域が２０アミノ酸未満をコードする、請求項５に記載のライブラリー。
【請求項７】
リンカー領域が１５アミノ酸をコードする、請求項５に記載のライブラリー。
【請求項８】
ライブラリーの各構成員が、オープンリーディングフレームと作動可能に連結したプロモーターをさらに含む、請求項５に記載のライブラリー。
【請求項９】
前記プロモーターが、Ｔ７、ＳＰ６およびＴ３からなる群から選択されるプロモーターである、請求項８に記載のライブラリー。
【請求項１０】
前記プロモーターがＴ７プロモーターである、請求項９に記載のライブラリー。
【請求項１１】
ライブラリーの各構成員が、そこに作動可能に連結した遺伝子の転写を促進することのできる５’非翻訳領域（５’ＵＴＲ）をさらに含む、請求項５に記載のライブラリー。
【請求項１２】
前記５’ＵＴＲがタバコモザイクウイルス５’ＵＴＲまたはその活性断片である、請求項１１に記載のライブラリー。
【請求項１３】
ライブラリーの各構成員がポリアデニン配列をさらに含む、請求項５に記載のライブラリー。
【請求項１４】
ライブラリーの各構成員が核酸バーコードをさらに含む、請求項５に記載のライブラリー。
【請求項１５】
前記核酸バーコードが８ヌクレオチドを含む、請求項１４に記載のライブラリー。
【請求項１６】
ライブラリーの各構成員がエピトープタグをコードする核酸配列をさらに含む、請求項５に記載のライブラリー。
【請求項１７】
エピトープタグがＦＬＡＧタグである、請求項１６に記載のライブラリー。
【請求項１８】
前記核酸配列がｓｃＦｖのリンカー領域の一部である、請求項１６に記載のライブラリー。
【請求項１９】
ライブラリーの各構成員が、抗体定常部またはその断片をコードする核酸配列をさらに含む、請求項５に記載のライブラリー。
【請求項２０】
ライブラリーの各構成員がリボソーム休止配列をさらに含む、請求項５に記載のライブラリー。
【請求項２１】
ライブラリーの各構成員がペプチドアクセプターをさらに含む、請求項５に記載のライブラリー。
【請求項２２】
ペプチドアクセプターがソラレンＣ６分子を含むリンカーを介して共有結合する、請求項２１に記載のライブラリー。
【請求項２３】
リンカーが、５’（ソラレンＣ６）２’Ｏｍｅ（Ｕ  ＡＧＣ  ＧＧＡ  ＵＧＣ）ＸＸＸＸＸＸＣＣ（ピューロマイシン）〔式中、ＸはトリエチレングリコールリンカーまたはＰＥＧ−１５０であり、ＣＣはＤＮＡ骨格である〕である、請求項２２に記載のライブラリー。
【請求項２４】
単鎖抗体（ｓｃＦｖ）発現のための核酸ライブラリーを作製する方法であって、
核酸組成物を提供するステップ、ここで前記組成物における核酸の少なくとも一部は抗体可変ドメインをコードする少なくとも１つのオープンリーディングフレームを含む；および
請求項１に記載の１つ以上のオリゴヌクレオチドを用いて複数の抗体可変ドメインを増幅するステップ、
を含む、方法。
【請求項２５】
単鎖抗体（ｓｃＦｖ）発現のための核酸ライブラリーをスペクトラタイプ解析する方法であって、
核酸組成物を提供するステップ、ここで前記組成物における核酸の少なくとも一部は抗体可変ドメインをコードする少なくとも１つのオープンリーディングフレームを含む；および
請求項２に記載の１つ以上のオリゴヌクレオチドを用いて前記可変ドメインのＣＤＲ３領域を増幅するステップ、
を含む、方法。
【請求項２６】
単鎖抗体（ｓｃＦｖ）発現のための核酸ライブラリーを逆転写する方法であって、
核酸組成物を提供するステップ、ここで前記組成物における核酸の少なくとも一部は抗体可変ドメインをコードする少なくとも１つのオープンリーディングフレームを含む、および
請求項３に記載の１つ以上のオリゴヌクレオチドを用いて前記可変ドメインのＣＤＲ３領域を逆転写するステップ、
を含む、方法。
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
骨安定化のためのシステムであって、
第１のネジ頭部を有する第１のネジと、
第２のネジ頭部を有する第２のネジと、
前記第１のネジ頭部および前記第２のネジ頭部の両方の中に保持されるように構成された脊椎固定要素と、
前記第１のネジから離れて延在し、かつ、それを通じて第１の誘導要素が運ばれる皮膚開口部を通じて延在するように構成される、少なくとも第１の誘導要素と、
前記第２のネジから離れて延在し、かつ、前記皮膚開口部を通じて延在するように構成される、少なくとも第２の誘導要素と、を備え、
前記第１の誘導要素および前記第２の誘導要素は重なり合うように構成され、かつ、前記第１の誘導要素および前記第２の誘導要素は、前記誘導要素のどちらの長軸とも平行でない角度を含む、前記誘導要素により幾何的に可能にされる任意の角度で、前記第１のネジ頭部および前記第２のネジ頭部との接触に向けて、前記脊椎固定要素をそれらの重なり合い構成において誘導することができる、システム。
【請求項２】
前記第１のネジ、前記第２のネジ、前記脊椎固定要素、および前記第１の誘導要素および前記第２の誘導要素は、同じ経皮的または最小侵襲的な皮膚切開を通じて運ばれるように構成され、前記皮膚切開のサイズは、前記第１のネジおよび前記第２のネジの最小断面サイズの合計よりも小さい、請求項１に記載のシステム。
【請求項３】
前記第１のネジおよび前記第２のネジは、同じ経皮的または最小侵襲的な皮膚切開を通じて運ばれるように構成され、前記皮膚切開のサイズは、前記第１のネジおよび前記第２のネジの最小断面サイズの合計よりも小さく、かつ、前記脊椎固定要素は、前記ネジのそれから離れた皮膚切開を通じて運ばれる、請求項１に記載のシステム。
【請求項４】
前記第１の誘導要素は、前記第１のネジ頭部に接続される少なくとも１つのワイヤを備え、かつ、前記第２の誘導要素は、前記第２のネジ頭部に接続される少なくとも１つのワイヤを備える、請求項１に記載のシステム。
【請求項５】
前記第１の誘導要素は、前記第１のネジ頭部の各側部に接続される少なくとも１つのワイヤ部分を備え、かつ、前記第２の誘導要素は、前記第２のネジ頭部の各側部に接続される少なくとも１つのワイヤ部分を備える、請求項４に記載のシステム。
【請求項６】
前記ワイヤは、前記ネジ頭部から容易に着脱されるように構成される、前記ネジ頭部に付設される延長タブを有する前記ネジ頭部に接続される、請求項４に記載のシステム。
【請求項７】
前記第１の誘導要素および前記第２の誘導要素は、それぞれのネジ頭部を確実に保持する機械式クランプまたは器具を通じて、それぞれ、前記第１のネジおよび前記第２のネジに付設され、かつ、前記クランプまたは器具は、前記脊椎固定要素が前記第１のネジ頭部および前記第２のネジ頭部と接触するように誘導された後に、前記誘導要素と共に除去可能である、請求項１に記載のシステム。
【請求項８】
前記第１の誘導要素および前記第２の誘導要素のうちの少なくとも１つは剛性タワーを備える、請求項１に記載のシステム。
【請求項９】
前記第１の誘導要素および前記第２の誘導要素の両方は剛性タワーを備える、請求項８に記載のシステム。
【請求項１０】
前記第１の誘導要素および前記第２の誘導要素の一方または両方は、短いタワーおよび少なくとも１つのワイヤまたは軸を備え、前記短いタワーは、前記皮膚開口部より下に位置付けられ、かつ、前記少なくとも１つのワイヤまたは軸は、関連するネジが骨内に運ばれる時に前記皮膚開口部を通じて延在する、請求項１に記載のシステム。
【請求項１１】
前記脊椎固定要素は、前記誘導要素のうちの少なくとも１つにより誘導され、前記第１のネジ頭部および前記第２のネジ頭部にロッドを運ぶのに役立つように構成されるロッド保持要素を備える前記ロッドである、請求項１に記載のシステム。
【請求項１２】
前記ロッド保持要素は、前記ネジの頭部内の所定の位置に前記脊椎固定要素を上げ、下げ、押し、引き、および回転させるように、前記誘導要素を通じて延在する前記ロッドの終端部近くの領域に付設される着脱可能なワイヤである、請求項１１に記載のシステム。
【請求項１３】
先導糸は、前記ネジ頭部または前記誘導要素内での皮膚切開を通じて捕獲され、かつ、前記誘導要素を通じて前記先導糸を導入し、かつ前記先導糸に前記ロッドを接続し、前記ネジが配置される同じ皮膚切開を通じて前記ネジ頭部内の所定の位置に引くことを可能にするネジねじ込み道具により、前記先導糸またはワイヤが、前記誘導要素および／または前記ネジ頭部を通じて最初にねじ込まれた後に前記ロッド保持要素に接続される、請求項１２に記載のシステム。
【請求項１４】
前記第１の誘導要素および前記第２の誘導要素の一方または両方は、関連するネジ頭部に接続される複数の短いワイヤに付設される１つ以上の長いワイヤを備える、請求項１に記載のシステム。
【請求項１５】
前記第１のネジ頭部および前記第２のネジ頭部に前記脊椎固定要素を係止するように構成される係止アセンブリをさらに備える、請求項１に記載のシステム。
【請求項１６】
前記係止アセンブリは、前記第１のネジ頭部および前記第２のネジ頭部に組み込まれるかまたはその一部である、請求項１５に記載のシステム。
【請求項１７】
前記システムは、交差点より下の各誘導要素の深度を測定するための手段をさらに備え、かつ、前記誘導要素は、前記脊椎固定要素の長さおよび輪郭を、外科医により正しい湾曲およびサイズに予め屈曲するかまたは選択することができるように、前記交差点において交差し、前記交差点より上の測定された深度を反映し、前記ネジの相対位置の仮想の反映された画像を生成するように構成される、請求項１に記載のシステム。
【請求項１８】
骨安定化における使用のためのネジであって、
ネジ軸と、
脊椎固定要素を受容するためのチャンネルを画定する台座を有するネジ頭部と、
前記脊椎固定要素を誘導するように構成される前記ネジ頭部から、前記ネジ頭部の台座のチャンネルに延在する少なくとも１つのワイヤと、
を備える、ネジ。
【請求項１９】
前記ネジ頭部の片側から延在する第１のワイヤ部分と、前記ネジ頭部の他の側から延在する第２のワイヤ部分と、をさらに備える、請求項１８に記載のネジ。
【請求項２０】
前記ネジは、前記ネジ頭部に付設されるタワーをさらに備え、かつ前記少なくとも１つのワイヤは前記タワーに付設される、請求項１８に記載のネジ。
【請求項２１】
前記チャンネル内に前記脊椎固定要素を係止するように構成される係止アセンブリをさらに備える、請求項１８に記載のネジ。
【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
第１の主表面及び第２の主表面を含む通気性裏材層と、
前記通気性裏材層の前記第１の主表面上に存在する接着層と、
前記通気性裏材層の前記第２の主表面に取り外し可能に取着されるキャリアと、
前記第１の主表面又は前記第２の主表面のうち少なくとも１つの上において前記通気性裏材層に取着される少なくとも１つのバネ要素と、
剥離ライナと、を備え、
前記キャリアは、前記通気性裏材層よりも剛性が高く、かつ前記バネ要素よりも剛性が低く、
前記バネ要素は、前記通気性裏材層の最長辺と平行に延在し、かつ前記通気性裏材層の長さの少なくとも７５％と同一の広がりをもつ、鼻腔拡張器。
【請求項２】
前記バネ要素が、応力を取り除いたとき前記バネ要素を元の位置まで戻すのに十分なバネ力を有し、かつ前記接着層の皮膚に対する接着力よりも小さい前記バネ力を有する、請求項１に記載の鼻腔拡張器。
【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
組換えゼラチンおよび抗微生物剤を含むコーティングを表面に付与する方法であって、
ａ）組換えゼラチンと抗微生物剤を０℃〜４０℃の温度で混合して混合物を得る；そして
ｂ）この混合物を０℃〜４０℃の温度で架橋する；
工程を含む方法。
【請求項２】
組換えゼラチンが、非ゲル化性の組換えゼラチンを含む、請求項１に記載の方法。
【請求項３】
組換えゼラチンが、ヒドロキシル化されていないゼラチンを含む、請求項１または２に記載の方法。
【請求項４】
組換えゼラチンが、実質的にらせん形成のない組換えゼラチンを含む、請求項１〜３のいずれか１項に記載の方法。
【請求項５】
抗微生物剤が、熱不安定性の抗微生物剤である、請求項１〜４のいずれか１項に記載の方法。
【請求項６】
熱不安定性の抗微生物剤が、熱不安定アミノグリコシドまたは熱不安定ベータ−ラクタム系抗生物質である、請求項５に記載の方法。
【請求項７】
工程ａ）において、組換えゼラチンと抗微生物剤の混合物がさらに光開始剤を含む、請求項１〜６のいずれか１項に記載の方法。
【請求項８】
工程ａ）とｂ）の間、または工程ｂ）の後に、コーティングを表面に付与することができる、請求項１〜７のいずれか１項に記載の方法。
【請求項９】
工程ａ）が、表面を組換えゼラチンでコートし、続いて抗微生物剤を含む溶液で表面を接触させることにより達成され、これにより抗微生物剤が組換えゼラチンに取り込まれる、請求項１〜７のいずれか１項に記載の方法。
【請求項１０】
コーティングを医療用具の表面に付与する、請求項１〜９のいずれか１項に記載の方法。
【請求項１１】
医療用具が、血管ステント、外科移植片およびカテーテルからなる群から選択される、請求項１０に記載の方法。
【請求項１２】
請求項１〜１１のいずれか１項に記載の方法により得ることができるコートされた表面。
【請求項１３】
請求項１０に記載の方法により得られる医療用具。
【請求項１４】
請求項９に記載の方法により得られる血管ステント、外科移植片またはカテーテル。
【請求項１５】
組換えゼラチン、抗微生物剤、およびＮ−エチル−Ｎ−３−ジメチルアミノプロピル−カルボジイミドを含む液体組成物。
【請求項１６】
組換えゼラチン、抗微生物剤、および光開始剤を含む液体組成物。
【手続補正書】
【提出日】平成24年10月1日(2012.10.1)
【手続補正１】
【補正対象書類名】特許請求の範囲
【補正対象項目名】全文
【補正方法】変更
【補正の内容】
【特許請求の範囲】
【請求項１】
眼に治療を施すエネルギー伝導システムにおいて、
眼に治療を施すためにエネルギー源からのエネルギーを伝導するように構成されている、伝導エレメントと、
伝導エレメントに抜去可能に取り付けられるように構成された被覆であって、被覆が眼に配置可能な接合面を有し、接合面の少なくとも一部が１つ以上の誘電体を含み、およびエネルギー伝導エレメントからのエネルギーが接合面を通じて眼に送達可能である、被覆と、
を含む、システム。
【請求項２】
被覆が伝導エレメントの一部の上に囲いを形成する、請求項１に記載のシステム。
【請求項３】
被覆および眼の接合面を冷却するために囲い内に冷却剤を送達することができるようになっている冷却剤送達システムであって、囲いが、冷却剤が眼と直接接触することを防止する、冷却剤送達システムを更に含む、請求項２に記載のシステム。
【請求項４】
伝導エレメントが第一電極および第二電極を含み、第一電極および第二電極が間隙によって分離され、伝導エレメントがエネルギーを遠位端に伝導し、および被覆が遠位端上に抜去可能に取り付けられるように構成される、請求項１に記載のシステム。
【請求項５】
被覆が伝導エレメントを受ける空洞を形成する、請求項１に記載のシステム。
【請求項６】
接合面が凹状である、請求項１に記載のシステム。
【請求項７】
被覆と結合したキャリアを更に含み、キャリアが被覆の形状を画定する支持構造体を含み、およびキャリアが被覆を伝導エレメントに抜去可能に取り付けるように構成されている、請求項１に記載のシステム。
【請求項８】
キャリアが成型熱可塑性ポリウレタン構造体であり、および被覆がキャリアに熱的に接着されたポリウレタンフィルムである、請求項７に記載のシステム。
【請求項９】
支持構造体が、伝導エレメントの外周を受けて係合するカラーを含む、請求項７に記載のシステム。
【請求項１０】
支持構造体が、伝導エレメントの外周を受けて係合する複数のリブを含む、請求項７に記載のシステム。
【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
索位置決め構造を有する鼠径ヘルニア補綴であって、 
前記索位置決め構造が、前記補綴の長手方向の周辺エッジに沿って配置される凹部により形成され、当該凹部が、索の一部のみを取り囲むように構成されて、残りの索の外周が、適当な筋肉組織に接触して前記索位置決め構造により配置されることを特徴とする鼠径ヘルニア補綴。 
【請求項２】
請求項１に記載の鼠径ヘルニア補綴であって、 
前記補綴の幅に対する長さの比が少なくとも２．５であることを特徴とする鼠径ヘルニア補綴。 
【請求項３】
請求項２に記載の鼠径ヘルニア補綴であって、 
前記狭アスペクトのヘルニア補綴が約１０ｃｍの長さを有し、前記索位置決め構造が、前記補綴を二等分する長手方向の中線の一方の側に配置されていることを特徴とする鼠径ヘルニア補綴。 
【請求項４】
請求項１に記載の鼠径ヘルニア補綴であって、 
前記鼠径ヘルニア補綴が、基質と、前記索位置決め構造の少なくともエッジに、保護層とを含むことを特徴とする鼠径ヘルニア補綴。 
【請求項５】
請求項１に記載の鼠径ヘルニア補綴であって、 
前記索位置決め構造が、前記索の周囲の１８０度未満の範囲に延在するように構成されていることを特徴とする鼠径ヘルニア補綴。 
【請求項６】
請求項１に記載の鼠径ヘルニア補綴であって、 
前記索位置決め構造が、前記索の周囲の１２０度未満の範囲に延在するように構成されていることを特徴とする鼠径ヘルニア補綴。 
【請求項７】
狭アスペクトを有する鼠径ヘルニア補綴であって、 
実質的にテンションフリー組織を維持しながら、筋肉を靱帯組織に接近させて、それにより鼠径ヘルニアの修復とヘルニア前の筋肉生理機能の再構成の双方を提供するように構成されており、前記補綴の幅に対する長さの比が少なくとも２．５であることを特徴とする鼠径ヘルニア補綴。 
【請求項８】
請求項７に記載の鼠径ヘルニア補綴であって、 
前記狭アスペクトの鼠径ヘルニア補綴が索位置決め構造を含み、この索位置決め構造が、前記補綴の長手方向の周辺エッジに沿って配置される凹部により形成され、当該凹部が、索の一部のみを取り囲むように構成されて、残りの索の外周が、適当な筋肉組織に接触して前記索位置決め構造により配置されることを特徴とする鼠径ヘルニア補綴。
【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
内壁と外壁とを有する上部上顎トレーと、
内壁と外壁とを有する下部下顎トレーと、
前記上部トレーを前記下部トレーに連結し、前記下部トレーを前記上部トレーに係合するための位置決め手段を有する２つのヒンジ部と、
を備えることを特徴とする下顎前進装置。
【請求項２】
さらに、前記上部トレーの平坦面が前記下部トレーの平坦面に完全に接することを防止する複数のポストを備えることを特徴とする請求項１に記載の下顎前進装置。
【請求項３】
前記位置決め手段は、噛み合わせ隆起部からなることを特徴とする請求項１又は２に記載の装置。
【請求項４】
前記上部トレーに設けられた割れ目輪郭をさらに備えることを特徴とする請求項１又は２に記載の装置。
【請求項５】
前記下部トレーの内壁に設けられた歯保持タブをさらに備えることを特徴とする請求項１又は２に記載の装置。
【請求項６】
熱可塑性ポリマーからなることを特徴とする請求項１又は２に記載の装置。
【請求項７】
前記ヒンジ部は、スプリングとして作用し、前記スプリングの付勢力で前記上部トレーを使用者の上顎歯に接触し、前記下部トレーを使用者の下顎歯に接触するように保持することを特徴とする請求項１又は２に記載の装置。
【請求項８】
前記下部トレーの内壁はフランジ部を備え、使用中に前記フランジが使用者の舌前庭内に延設し、下顎を前進するための大きな接触面をもたらすことを特徴とする請求項１又は２に記載の装置。
【請求項９】
前記装置が完全に挿入されるとき、前記上部トレー及び前記下部トレーは、使用者の上部第１臼歯の中央に延設されることを特徴とする請求項１又は２に記載の装置。
【請求項１０】
歯ぎしりの作用を減らすために用いられることを特徴とする請求項１又は２に記載の装置。
【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
抗体またはそのＦａｂフラグメント、ＦｖフラグメントもしくはｓｃＦｖフラグメントである、１７以下のアミノ酸からなり、そして配列番号１のアミノ酸配列を含むエピトープ配列との選択的相互作用が可能な親和性リガンド。
【請求項２】
前記エピトープ配列が、配列番号３および／または配列番号４のアミノ酸配列を含む、請求項１に記載の親和性リガンド。
【請求項３】
請求項１または２に記載の親和性リガンドを含む、大腸癌を有する哺乳動物被験体の予後を確立するための診断用組成物。
【請求項４】
予後作用剤としての請求項１または２に記載の親和性リガンドのインビトロでの使用。
【請求項５】
大腸癌を有する哺乳動物被験体の予後が、対照予後より不良であるかもしくはそれに匹敵するかどうかを決定するための方法であって、以下の工程：
ａ）前記被験体からより早期に得られたサンプルを提供する工程；
ｂ）請求項１〜２のいずれか一項に記載の親和性リガンドを使用して、前記サンプルの少なくとも一部に存在する配列番号１のアミノ酸配列を含むタンパク質の量を評価し、そして前記評価した量に対応するサンプル値を決定する工程；
ｃ）工程ｄ）において得られた前記サンプル値と前記対照予後に関連する対照値とを比較する工程；ならびに
前記サンプル値が前記対照値以下である場合、
ｄ）前記被験体の前記予後は、前記対照予後より不良であるかもしくはそれに匹敵すると結論付ける工程、
を含む、方法。
【請求項６】
前記サンプルが大腸癌組織サンプルである、請求項５に記載の方法。
【請求項７】
工程ｂ）の前記評価が、前記サンプルの細胞の核に限定される、請求項５〜６のいずれか一項に記載の方法。
【請求項８】
ａ）請求項１〜２のいずれか一項に記載の親和性リガンド；および
ｂ）前記親和性リガンドの量を定量するのに必要な試薬
を含む、請求項５〜７のいずれか一項に記載の方法を行うためのキット。
【請求項９】
１７以下のアミノ酸残基からなり、そして配列番号１のアミノ酸配列を含む、単離されたポリペプチド。
【請求項１０】
配列番号３および／または配列番号４のアミノ酸配列を含む、請求項９に記載のポリペプチド。
【請求項１１】
モノクローナルまたはポリクローナル抗体の製造における、免疫化において抗原としての、請求項９〜１０のいずれか一項に記載のポリペプチドの使用。
【請求項１２】
親和性リガンドの選択または精製における請求項９〜１０のいずれか一項に記載のポリペプチドの使用。
【手続補正書】
【提出日】平成24年9月5日(2012.9.5)
【手続補正１】
【補正対象書類名】明細書
【補正対象項目名】０００２
【補正方法】変更
【補正の内容】
【０００２】
コンピュータチップ製造産業においては、製造過程の様々な段階で集積回路（ＩＣ'ｓ）（ｉｎｔｅｇｒａｔｅｄ  ｃｉｒｃｕｉｔｓ：ＩＣ）の性能を検査する必要があり、これは欠陥のある部品を除去し製造過程をモニタリングするためのものである。この目的のためにこれまでに様々な技術が用いられてきたが、全ての技術はＩＣ製造過程の需要の高まりによって困難を強いられている。
電気的に電気回路を検査するためには、ＩＣ上のパッドと接触、つまり言い換えると前記ＩＣを「プロービング」する必要がある。プローブは、検査される前記ＩＣパッドとかなり正確に整列することが可能でなければならず、かつ前記ＩＣに電力を供給するのに十分な電流を提供するのと共に、検査用信号が歪まないよう安定した低抵抗の電気接触を低インダクタンスで提供することが可能でなければならない。ＩＣ製品が次第に、より微細な形状、トランジスタ数の増加、周波数の高クロック化へと進歩するにつれ、ＩＣをプロービングする既存技術の能力に困難が生じている。形状微細化は、検査パッドのサイズ低下を招きこれはプローブがパッドを逃さないよう一層正確な整列を必要とする。トランジスタ数の増加と周波数の高クロック化は、プローブが針焼けや「針溶け」（ｆｕｓｉｎｇ）することなく、またはプローブのばね力（ｓｐｒｉｎｇ  ｆｏｒｃｅ）および疲労寿命（ｆａｔｉｇｕｅ  ｌｉｆｅ）などの物理的性質を損ねることなくプローブが更なる電流量を提供することが必要となる。
ＩＣ製造業者らは、最悪の場合の環境状態をよりよくシミュレートするか若しくは加速寿命試験を行えるよう高めの外界温度にてＩＣ'ｓの検査が可能となることを望んでいる。これは、プローブが摂氏１５０℃の上昇温度にて高電力レベルを提供できるようにならなければならないという更なる負担を課す。ＩＣのプロセス速度の高速化は、ＩＣに供給されるクロックや信号の波形を歪ませることなく、かつＩＣからモニタリング検査機器へと波形が正確に転送されるようプローブが低インダクタンスを有することをさらに必要とする。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正２】
【補正対象書類名】明細書
【補正対象項目名】０００３
【補正方法】変更
【補正の内容】
【０００３】
【特許文献１】  米国特許出願公開第２００４／０１０６２１８号明細書
【特許文献２】  米国特許第６９０６５３９号明細書
【特許文献３】  米国特許第５５４６４０５号明細書
【特許文献４】  米国特許出願公開第２００３／０２１１０２９号明細書
【特許文献５】  米国特許第６８４９５５４号明細書
【非特許文献】
【手続補正３】
【補正対象書類名】明細書
【補正対象項目名】０００４
【補正方法】変更
【補正の内容】
【０００４】
【非特許文献１】  ＸＵ，Ｔ；Ｗａｎｇ，Ｚ；ＭＩＡＯ，Ｊ；ＣＨＥＮ，Ｘ  ＡＮＤ  ＴＡＮ，Ｃ  Ｍ，Ａｌｉｇｎｅｄ  ｃａｒｂｏｎ  ｎａｎｏｔｕｂｅｓ  ｆｏｒ  ｔｈｒｏｕｇｈ−ｗａｔｅｒ  ｉｎｔｅｒｃｏｎｎｅｃｔｓ，ＡＰＰＬＩＥＤ  ＰＨＹＳＩＣＳ  ＬＥＴＴＥＲＳ  ９１，０４２１０８  ２００７，［ｏｎｌｉｎｅ］，［ｒｅｔｒｉｅｖｅｄ  ０４  Ｎｏｖｅｍｂｅｒ  ２００９（０４．１１．２００４）］．Ｒｅｔｒｉｅｖｅｄ  ｆｒｏｍ  ｔｈｅ  Ｉｎｔｅｒｎｅｔ：ＵＲＬ<ｈｔｔｐ：／／ｓｃｉｔａｔｉｏｎ．ａｉｐ．ｏｒｇ／ｇｅｔａｂｓ／ｓｅｒｖｌｅｔ／ＧｅｔａｂｓＳｅｒｖｉｅｔ？ｐｒｏｇ＝ｎｏｒｍａｌ&ｉｄ＝ＡＰＰＬＡＢ００００９１０００００４０４２１０８０００００１&ｉｄｔｙｐｅ＝ｃｖｉｐｓ&ｇｉｆｓ＝ｙｅｓ>，ａｂｓｔｒａｃｔ，Ｐｇ０４２１０８−２，ｐａｒａ  １，Ｆｉｇｕｒｅ３（ｂ）
【発明の概要】
【課題を解決するための手段】